(57)【要約】      （修正有）【課題】時刻以外の表示内容が明確に表示可能になる電子時計を提供する。【解決手段】外装ケース１内における文字板２の外周部にダイヤルリング６が配置される。ダイヤルリング６に開口部６ｆ，６ｉが設けられる。ダイヤルリング６の内部に内転リング７が回動可能に配置される。内転リング７に時刻以外の表示内容を表示する複数の追加表示部が設けられる。内転リング７の回動により、複数の追加表示部の１つが開口部６ｆ，６ｉを通して視認可能となる。内転リング７の回動量を制御する制御部と追加表示部を指示する指針５を備える。【選択図】図１
2018146438.tif 000002
【特許請求の範囲】
【請求項１】
時刻以外の表示機能を有する電子時計において、
外装ケース内における文字板の外周部に配置されたダイヤルリングと、
前記ダイヤルリングに設けられた開口部と、
前記ダイヤルリングの内部に回動可能に配置され、前記開口部を通して視認可能な表示内容を記した追加表示部を備えた内転リングと、
前記内転リングの回動量を制御する制御部と、
前記追加表示部を指示する指針と、
を備えたことを特徴とする電子時計。
【請求項２】
前記内転リングに、表示すべき項目が異なる複数の追加表示部が周方向に分散配置され、
前記外装ケースに取付けられた操作部材の操作により、前記内転リングが回動されて前記複数の追加表示部の１つが前記ダイヤルリングに設けられた前記開口部において露出される
ことを特徴とする請求項１に記載の電子時計。
【請求項３】
前記ダイヤルリングに、前記開口部を含む１対の開口部が、前記ダイヤルリングの円の中心点に対し対称に配置されている
ことを特徴とする請求項１または２に記載の電子時計。
【請求項４】
前記内転リングに、表示項目が同じであって、数値範囲が異なる一対の追加表示部が、当該内転リングの円中心点に対して対称に設けられ、
前記一対の開口部に、前記一対の追加表示部がそれぞれ露出されて、前記一対の追加表示部のうちの１つに、指針により指示がなされる
ことを特徴とする請求項３に記載の電子時計。
【請求項５】
前記ダイヤルリングは、前記文字板の表面に対して垂直状をなす端面部と、その端面部からダイヤルリングの外周側に向けて斜めに立ち上がる形状をなす斜面部と、その斜面部の外周側から前記ダイヤルリングの外周側に向けて平坦状に設けられた上面部とを備え、
前記内転リングは、前記ダイヤルリングの前記端面部、前記斜面部、前記上面部にそれぞれ対応する端面部、斜面部、上面部を備え、
前記ダイヤルリングの前記端面部、前記斜面部、前記上面部にそれぞれ開口部を有し、
前記追加表示部は、前記内転リングの前記端面部、前記斜面部、前記上面部に、それぞれ前記ダイヤルリングの前記端面部、前記斜面部、前記上面部に対応して設けられている
ことを特徴とする請求項１から４のいずれか１項に記載の電子時計。
【請求項６】
前記ダイヤルリングは、前記文字板の表面に対して垂直状をなす端面部と、その端面部からダイヤルリングの外周側に向けて斜めに立ち上がる形状をなす斜面部と、その斜面部の外周側から前記ダイヤルリングの外周側に向けて平坦状に設けられた上面部のうちの２面部を備え、
前記内転リングは、前記ダイヤルリングの２面部にそれぞれ対応する２面部を備え、
前記ダイヤルリングに備える２面部に開口部を有し、
前記追加表示部は、前記内転リングに備える２面部に、それぞれ前記ダイヤルリングの各開口部に対応して設けられている
ことを特徴とする請求項１から４のいずれか１項に記載の電子時計。
【請求項７】
前記追加表示部を指示する指針として、秒針が兼用され、
前記外装ケースに操作部材が取付けられると共に、前記制御部は、前記操作部材の操作により、秒針による時刻表示を前記追加表示部への指示に代える機能を有する
ことを特徴とする請求項１から６のいずれか１項に記載の電子時計。
【発明の詳細な説明】
【技術分野】
【０００１】
本発明は、時刻以外の他の情報を表示する機能を有する電子時計に関する。
【背景技術】
【０００２】
従来の電子時計として、時刻表示機能以外に、センサーによって計測される温度や気圧等を表示する電子時計がある。このような電子時計は、一般的には、時刻を周囲に印刷した文字板に、他の情報を表示するために、小窓を備えると共に、各小窓にそれぞれ指針を備えた表示部を設ける（特許文献１参照）。
【０００３】
従来の他の電子時計として、例えば特許文献２に記載したものがある。この従来の電子時計は、時刻目盛を記した主文字板に複数の開口部を設け、主文字板の裏に、主文字板と同心に、回動可能に補助表示板を設けたものである。この補助表示板は、例えば曜日、月、月齢（月の満ち欠け）等およびこれらの補助表示内容である表示モードを、周方向に分割して記したものである。そして、例えば曜日を表示する場合には、補助表示板を回動させて、主表示板のある開口部に曜日を記した表示面を露出させ、開口部に設けた指針で曜日を指し示すように構成されている。そして他の表示を行なう場合には、補助表示板を回動させて、例えば月や月齢の表示を行なうようにしている。
【先行技術文献】
【特許文献】
【０００４】
【特許文献１】特開２０１６−１７６９５７号公報
【特許文献２】特開２０１４−１０２１８９号公報
【発明の概要】
【発明が解決しようとする課題】
【０００５】
ところで、特許文献１に記載の電子時計は、時刻を表示した文字板の中心軸の周囲に、時刻以外の表示を行なう１つ以上の小窓を備えると共に、各小窓にそれぞれ指針を備える。この電子時計においては、小窓の数が多くなると文字板上の情報が多くなり、見た目上、複雑な印象を与えるという問題点がある。また、小窓に表示する文字や数字が小さくなり、表示内容の判別がしにくい。
【０００６】
また、小窓に描かれた、時刻以外の表示を行なう数字、文字、およびその指針が、時刻表示の時針、分針、あるいは秒針によって覆われてしまうことがあるので、時刻以外の小窓と指針による表示内容の判別が困難になる可能性がある。
【０００７】
一方、特許文献２に記載の電子時計は、時刻を表示した文字板に開口部を設け、その開口部から、文字板の裏側に回動可能に補助表示板を設け、時刻表示機能以外の他の内容を表示する。このように補助文字板の表示面を開口部から露出させて表示する電子時計においては、さらに多機能表示を追加する事が困難である。
【０００８】
そこで、本発明は、時刻以外の表示内容を明確にすることを解決課題の一つとする。また、すでに時刻以外の表示機能を有する電子時計に、他の表示機能を加えることが可能とすることを解決課題の一つとする。
【課題を解決するための手段】
【０００９】
上記課題を解決するため、本発明に係る電子時計の一態様は、時刻以外の表示機能を有するもの電子時計において、外装ケース内における文字板の外周部に配置されたダイヤルリングと、前記ダイヤルリングに設けられた開口部と、前記ダイヤルリングの内部に回動可能に配置され、前記開口部を通して視認可能な表示内容を記した追加表示部を備えた内転リングと、前記内転リングの回動量を制御する制御部と、前記追加表示部を指示する指針とを備えたことを特徴とする。
【００１０】
上述した電子時計の一態様によれば、内転リングを制御する制御部により、前記内転リングに表示内容を記した追加表示部を、ダイヤルリングに設けた開口部から外部に露出させ、指針で指示することにより、時刻以外の表示内容をユーザーに示すことができる。
【００１１】
上述した電子時計の一態様は、時刻を表示する文字板の外周側にある内転リングに追加表示部を設けたので、文字板上の小窓に数字等を表示する場合に比較し、目盛間隔等を大きく表示することができ、時刻以外の表示内容を明確に表示しやすくなる。また、文字板上における表示の簡略化が可能となり、審美性の向上が図れる。また、この態様によれば、文字板よりも外周部で時刻以外の表示を行なうため、文字板内に既に小窓を含む時刻以外の情報を表示する表示部がある場合にも、さらに、他の情報をユーザーに表示することが可能である。
【００１２】
上述した電子時計の一態様において、前記内転リングに、表示すべき項目が異なる複数の追加表示部が周方向に分散配置され、前記外装ケースに取付けられた操作部材の操作により、前記内転リングが回動されて前記複数の追加表示部の１つが前記ダイヤルリングに設けられた前記開口部において露出されることが好ましい。
【００１３】
このように、内転リングに、複数種類の表示内容をそれぞれ記す複数の追加表示部が、周方向に分散配置され、追加表示部の１つが選択的に表示されることにより、時刻以外の複数種類の表示内容が選択的に表示可能となる。
【００１４】
また、上述した電子時計の一態様において、前記ダイヤルリングに、前記開口部を含む１対の開口部が、前記ダイヤルリングの円の中心点に対し対称に配置されていることが好ましい。
【００１５】
このように、ダイヤルリングに１対の開口部が設けられることにより、同時に２つの追加表示部の表示が可能となり、より多種の表示が可能となる。
【００１６】
また、上述した電子時計の一態様において、前記内転リングに、表示項目が同じであって、数値範囲が異なる一対の追加表示部が、当該内転リングの円中心点に対して対称に設けられ、前記一対の開口部に、前記一対の追加表示部がそれぞれ露出されて、前記一対の追加表示部のうちの１つに、指針により指示がなされることが好ましい。
【００１７】
このように、内転リングにおいて、表示すべき項目を、数値範囲が異なる追加表示部を、当該内転リングの円周方向に対して垂直な中心軸に対称に分散配置し、ダイヤルリングに設けられた1対の開口部で表示することにより、追加表示部による表示範囲が拡大表示され、見やすい表示がなされる。
【００１８】
また、上述した電子時計の一態様おいて、前記ダイヤルリングは、前記文字板の表面に対して垂直状をなす端面部と、その端面部からダイヤルリングの外周側に向けて斜めに立ち上がる形状をなす斜面部と、その斜面部の外周側から前記ダイヤルリングの外周側に向けて平坦状に設けられた上面部とを備え、前記内転リングは、前記ダイヤルリングの前記端面部、前記斜面部、前記上面部にそれぞれ対応する端面部、斜面部、上面部を備え、前記ダイヤルリングの前記端面部、前記斜面部、前記上面部にそれぞれ開口部を有し、前記追加表示部は、前記内転リングの前記端面部、前記斜面部、前記上面部に、それぞれ前記ダイヤルリングの前記端面部、前記斜面部、前記上面部に対応して設けられていることが好ましい。
【００１９】
また、上述した電子時計の一態様おいて、前記ダイヤルリングは、前記文字板の表面に対して垂直状をなす端面部と、その端面部からダイヤルリングの外周側に向けて斜めに立ち上がる形状をなす斜面部と、その斜面部の外周側から前記ダイヤルリングの外周側に向けて平坦状に設けられた上面部のうちの２面部を備え、前記内転リングは、前記ダイヤルリングの２面部にそれぞれ対応する２面部を備え、前記ダイヤルリングに備える２面部に開口部を有し、前記追加表示部は、前記内転リングに備える２面部に、それぞれ前記ダイヤルリングの各開口部に対応して設けられていることが好ましい。
【００２０】
このように、ダイヤルリング、内転リングにそれぞれ端面部、斜面部、上面部のうちの２面部を備えると共に、ダイヤルリングの各部に開口部を有し、内転リングの各部に追加表示部を有することにより、時刻以外の表示内容が理解しやすいものとなる。
【００２１】
また、上述した電子時計の一態様において、好ましくは、前記追加表示部を指示する指針として、秒針が兼用され、前記外装ケースに操作部材が取付けられると共に、前記制御部は、前記操作部材の操作により、秒針による時刻表示を前記追加表示部への指示に代える機能を有することである。
【００２２】
このように、秒針を追加表示部の指針として兼用することにより、専用の指針が不要となり、構成が簡略される。
【図面の簡単な説明】
【００２３】
【図１】本発明の電子時計の一実施形態を示す平面図である。
【図２】本実施形態の電子時計を示す部分縦断面図である。
【図３】（Ａ）は本実施形態のダイヤルリングと内転リングとの組み合わせ構造を示す部分斜視図、（Ｂ）はその組み合わせ構造を示す部分展開図である。
【図４】本実施形態のダイヤルリングの開口部の配置を示す展開図である。
【図５】本実施形態の内転リングの追加表示部の配置を示す展開図である。
【図６】本実施形態の制御ブロック図である。
【図７】本実施形態の動作を説明するフローチャートである。
【図８】本発明の電子時計の他の実施形態を示す内転リングの平面図である。
【図９】本発明の電子時計の他の実施形態を示す平面図である。
【図１０】図９の実施形態の内転リングを示す平面図である。
【発明を実施するための形態】
【００２４】
図１は本発明の電子時計の一実施形態を、上面のカバーガラスを省略して示す平面図である。電子時計１００は略円環状をなす外装ケース１を備え、外装ケース１には不図示のバンドを外装ケース１に取付けるための取付け部を備える。また、電子時計１００は時刻（図示せず）を外周部に印字した文字板２を備え、文字板２には日車１１ａ（図２参照）の日を記した部分を露出させる小窓２ａを備える。また電子時計１００は、時針３、分針４、秒針５を備える。外装ケース１内における文字板２の外周部にダイヤルリング６が配置される。
【００２５】
図２は本実施形態の電子時計を示す部分縦断面図である。ダイヤルリング６の内部に回動可能に配置された内転リング７が配置される。外装ケース１の上面にはカバーガラスが固着される。外装ケース１内には構成部品実装用の地板１０が固定され、地板１０には日車押え１１および日車１１ａが取付けられる。地板１０の上面には、円弧状のレール１０ａが設けられている。内転リング７の下面に円弧状に設けられた溝７ａは、レール１０ａに摺動可能に嵌合されている。
【００２６】
地板１０には内転リング７を回動させるためのモーター１２が取付けられる。モーター１２はステーター１２ａ、ローター１２ｂおよびコイルブロック１２ｃを有する。このモーター１２はステッピングモーターであり、そのローター１２ｂの出力軸に設けられた歯車１２ｄと、内転リング７に設けられた内歯歯車７ｂとの間に、モーター１２の回動力を内転リング７に減速させて伝えるための歯車１３ａ〜１３ｄからなる輪列１３が設けられている。したがってモーター１２が駆動されると、内転リング７がレール１０ａに沿って回動する。
【００２７】
ダイヤルリング６は、図２、図３（Ａ）に示すように、文字板２の表面に対して略垂直状をなす端面部６ａと、その端面部６ａからダイヤルリング６の外周側に向けて斜めに立ち上がる形状をなす斜面部６ｂと、その斜面部６ｂの外周側からダイヤルリング６の外周側に向けて略平坦状に形成された上面部６ｃとを有する。
【００２８】
図４の展開図に示すように、本実施形態においては、ダイヤルリング６の端面部６ａ、斜面部６ｂ、上面部６ｃには、周方向の同じ角度位置でかつ略９０度の角度範囲で、それぞれ１つの円弧状をなす開口部６ｅ，６ｆ，６ｇが設けられる。これらの開口部６ｅ，６ｆ，６ｇに対して、ダイヤルリング６の円の中心点Ｑに対し対称となる位置に、別の開口部６ｈ，６ｉ，６ｊが設けられる。開口部６ｈ，６ｉ，６ｊは、周方向の同じ角度位置でかつ略９０度の範囲に位置する。
【００２９】
図２、図３（Ａ）に示すように、内転リング７は、ダイヤルリング６の端面部６ａ、斜面部６ｂ、上面部６ｃにそれぞれ対向する端面部７ｃ、斜面部７ｄ、上面部７ｅを備える。
【００３０】
図５の展開図に示すように、内転リング７の端面部７ｃ、斜面部７ｄ、上面部７ｅにおいて、２つの表示範囲Ａ１および表示範囲Ａ２が設けられている。表示範囲Ａ１には追加表示部７ｆ，７ｇ，７ｈが設けられており、表示範囲Ａ２には追加表示部７ｉ，７ｊ，７ｋが設けられている。これらの追加表示部７ｆ，７ｇ，７ｈおよび７ｉ，７ｊ，７ｋは内転リング７の周方向に同じ位置に配置される。また、追加表示部７ｆ，７ｇ，７ｈおよび追加表示部７ｉ，７ｊ，７ｋは、ダイヤルリング６の円周方向に対して垂直な中心軸Ｚ’に対して対称に配置される。
【００３１】
また、内転リング７における他の２つの略９０度の範囲Ｂ１，Ｂ２には、他の追加表示部７ｌ，７ｍ，７ｎおよび７ｏ，７ｐ，７ｑを有する。これらの追加表示部７ｌ，７ｍ，７ｎおよび７ｏ，７ｐ，７ｑも、内転リング７の周方向に同じ位置でかつ略９０の角度の表示範囲Ｂ１，Ｂ２にそれぞれ設けられる。追加表示部７ｌ，７ｍ，７ｎおよび７ｏ，７ｐ，７ｑは、ダイヤルリング６の円周方向に対して垂直な中心軸Ｚ’に対して対称に配置される。
【００３２】
本実施形態において、内転リング７の表示範囲Ａ１，Ａ２に表示されるものは、外装ケース１内に収容されるかあるいは外付けされる気圧センサー（図示せず）により計測される気圧から推測される高度である。一方の表示範囲Ａ１に表示される高度は０ｍ〜６０００ｍであり、表示範囲Ａ２に表示される高度は０ｍ〜１００ｍである。斜面部７ｄにおける追加表示部７ｇ，７ｊにはそれぞれ０ｍ〜６０００ｍ，０ｍ〜１００ｍの目盛を記す。上面部７ｅにおける追加表示部７ｈ，７ｋにはその目盛に対応する数字を記す。この例では、端面部７ｃにおける追加表示部７ｆ，７ｉは、目盛の倍率を示しているが、ｍ（メートル）等の高度の単位や「高度」なるモード名を記載してもよい。なお、表示範囲Ａ１，Ａ２には上記と異なる範囲の高さを表示してもよく、例えば表示範囲Ａ２として、地下の深さに相当するマイナスの値を表示してもよい。
【００３３】
また、内転リング７における残りの表示範囲Ｂ１，Ｂ２に表示されるものは、外装ケース１内に収容されるかあるいは外付けされる温度センサー（図示せず）により計測される温度である。この例では、一方の表示範囲Ｂ１に表示される温度は、０度〜４０度、表示範囲Ｂ２に表示される温度は、０度〜−４０度である。また、内転リング７における追加表示部７ｌ，７ｏは、表示対象のモードである温度の単位「℃」なる文字を記している。追加表示部７ｍ，７ｐにはそれぞれ０度〜４０度，０度〜−４０度の目盛を記している。追加表示部７ｎ，７ｑには検出された温度に対応するマーク（例えば図示のように、温度が０度より高いか低い程、マークの幅が大きくなるマーク）を記している。
【００３４】
図１に示すように、電子時計１００は操作部材２０を備える。この操作部材２０は押しボタンからなり、内転リング７を回動させるモーター１２の動作を制御するものである。操作部材２０は、内部にスイッチを備えており、ユーザーの操作に応じた操作信号を出力する。また、電子時計１００は図６に示すように電池２１と、クロック信号を発生する発振回路２２と、気圧センサー２３と、温度センサー２４を備える。さらに、電子時計１００はＣＰＵ２５、およびモーター制御回路２６を備え、これらにより制御部２７を構成する。
【００３５】
また、電子時計１００は輪列３０を介して時針３および分針４を駆動するモーター２９を備える。また電子時計１００は、輪列３２を介して秒針５を駆動するモーター３１と、輪列３４を介して日車１１ａを駆動するモーター３３を備える。
【００３６】
次に本実施形態の動作について図７を参照して説明する。電子時計１００は、高度を求めるための気圧センサーによる計測値の表示モードＡと、温度センサーによる計測値の表示モードＢとを備える。まず、ＣＰＵ２５は、操作信号の有無を判定する（ステップＳＰ１）。操作部材２０が操作されると、ステップＳＰ１の判定結果は肯定となり、ＣＰＵ２５は、操作信号が表示モードＡを示すか否かを判定する（ステップＳＰ２）。ここで、操作部材２０として押しボタンを使用した場合には、例えば押しボタンを１回押すごとに表示モードが時刻表示モード、表示モードＡ、表示モードＢのように、表示モードの指定が切り替わる方式をとることができる。この押圧式と異なり、操作部材２０として左右の回動方向や回動角度を指定するダイヤル式の操作部材等で表示モードが指定できるように構成することも可能である。
【００３７】
表示モードがＡである場合には、ＣＰＵ２５は、現在の内転リング７の位置が表示モードＡの表示位置にあるかどうかを判定する（ステップＳＰ３）。内転リング７の現在位置は、内転リング７を駆動するモーター１２であるステッピングモーターに供給する駆動パルスの個数によって知ることができる。
【００３８】
内転リング７の現在位置が表示モードＡ（高度）の表示位置にあるときは、ＣＰＵ２５およびモーター制御回路２６は、秒針５を駆動するモーター３１であるステッピングモーターを駆動し、時刻表示の代わりに、計測値に従う回動角だけ秒針５を回動させて計測値に見合う目盛を指示する。高度の計測値が０ｍ〜１００ｍの範囲にある時は、秒針５をダイヤルリング６の表示範囲Ａ２において、秒針５は計測された高度の目盛を指示する。高度の計測値が１００ｍを超える時は、秒針５をダイヤルリング６の表示範囲Ａ１内の目盛を指示し、秒針５は高度に見合う目盛を指示する。
【００３９】
反対に、内転リング７の位置が表示モードＡの表示位置にないときは、ＣＰＵ２５およびモーター制御回路２６は、モーター１２を駆動して、内転リング７を、その追加表示部７ｆ，７ｇ，７ｈおよび７ｉ，７ｊ，７ｋが、それぞれダイヤルリング６の開口部６ｅ，６ｆ，６ｇおよび６ｈ，６ｉ，６ｊに対応する位置まで回動させる（ステップＳＰ５）。
【００４０】
一方、操作部材２０により指定された表示モードがＢ（温度）である場合、ＣＰＵ２５は内転リング７の位置が表示モードＢの表示位置にあるか否かの判定を行ない（ステップＳＰ６）、表示モードＢの位置にあれば、ＣＰＵ２５およびモーター制御回路２６は、モーター３１を駆動して秒針５による計測値の表示を行なう（ステップＳＰ４）。
【００４１】
反対に、内転リング７の位置が表示モードＢの表示位置になければ、ＣＰＵ２５およびモーター制御回路２６は、モーター１２を駆動して内転リング７の回動による位置変更を行なった後（ステップＳＰ７）、秒針５による計測値の表示を行なう（ステップＳＰ４）。計測された温度が０〜４０度である時は、秒針５は表示範囲Ｂ１内の目盛を指示し、０度未満〜−４０度である時は、秒針５は表示範囲Ｂ２内の目盛を指示する。
【００４２】
秒針５による表示値が、ユーザーによって十分に視認可能と考えられる時間（例えばステップＳＰ４による計測値表示から３０秒）が経過した後、ＣＰＵ２５およびモーター制御回路２６は、秒針５による計測値の表示を中止し、秒針５を時刻表示に戻し、操作部材２０による操作待ちの状態に戻る（ステップＳＰ８）。
【００４３】
以上に説明したように、本実施形態においては、内転リング７に文字、目盛あるいは数字等を記した追加表示部７ｆ，７ｇ，７ｈおよび７ｉ，７ｊ，７ｋが、それぞれダイヤルリング６の開口部６ｅ，６ｆ，６ｇおよび６ｈ，６ｉ，６ｊを通して外部に露出させ、指針として用いた秒針５で目盛等を指示することにより、時刻以外の表示内容をユーザーに示すことができる。
【００４４】
本実施形態においては、時刻を表示する文字板２の外周側にある内転リング７に追加表示部７ｆ〜７ｋおよび７ｌ〜７ｑが、それぞれダイヤルリング６の開口部６ｅ〜６ｊを通して目視できるように構成したので、文字板２に数字等を表示する場合に比較し、目盛間隔等を大きく表示することができ、時刻以外の表示内容を明確に表示しやすくなる。また、本実施形態においては、文字板２よりも外周部で時刻以外の表示を行なうため、文字板２内に時刻以外の表示部がある場合であっても適用することが可能である。
【００４５】
また本実施形態においては、内転リング７に、複数の表示内容をそれぞれ記す複数の追加表示部７ｆ〜７ｋおよび７ｌ〜７ｑが周方向に分散配置され、追加表示部の１つが選択的に表示されるため、時刻以外の複数の表示モード等の表示内容が表示可能となる。
【００４６】
また本実施形態においては、内転リング７において、表示すべき１つのモードの項目を、数値範囲が異なる追加表示部７ｆ〜７ｋまたは７ｌ〜７ｑを対角状に分散配置し、ダイヤルリング６に設けられた２組の開口部６ｅ〜６ｇと６ｈ〜６ｊで表示することにより、追加表示部７ｆ〜７ｋまたは７ｌ〜７ｑによる表示内容が拡大表示されるので、表示が見やすくなる。
【００４７】
また、本実施形態のように、内転リング７の端面部７ｃ、斜面部７ｄ、上面部７ｅにそれぞれ追加表示部７ｆ〜７ｋ、７ｌ〜７ｑを有しており、例えば斜面部７ｄのみに追加表示部を設ける場合に比較し、３面に分かれているので、時刻以外の表示内容が理解しやすいものとなる。
【００４８】
本実施形態においては、ダイヤルリング６に端面部６ａ、斜面部６ｂ、上面部６ｃの３面部を有し、内転リング７にも端面部７ｃ、斜面部７ｄ、上面部７ｅの３面部を有する例について示したが、ダイヤルリング６や内転リング７は前記３面部のうちの対応する２面部のみを有する構成にしてもよい。また、ダイヤルリング６に設ける開口部は、互いに隣り合う面部にまたがって連続する構成としてもよい。
【００４９】
本実施形態においては、追加表示部を指示する指針として、秒針５が兼用され、かつ外装ケース１の内部に、操作部材２０の操作により、秒針５による時刻表示が追加表示部７ｆ〜７ｋ、７ｌ〜７ｑへの指示に代わる制御部２７を備えているので、専用の指針が不要となり、構成が簡略される。
【００５０】
本発明の電子時計は、時刻以外に追加表示部により表示されるモード（項目）が、高度や温度以外であるにも適用できる。図８は、前記実施形態で示した高度の代わりに、気圧や天候を表示項目とした内転リング７の構成例である。図８において、表示範囲Ｂ１，Ｂ２に示される表示内容は、図５に示したものと同じ温度についての表示である。
【００５１】
一方、表示範囲Ａ１には、高度の代わりに、追加表示部７ｒに気圧の単位、追加表示部７ｓに目盛、追加表示部７ｔに目盛に対応する数字を表示する。表示範囲Ａ１に対して対角状に対向する表示範囲Ａ２には、予想される天候情報Ｗを例えば図示のような晴れ、曇、雨のマークにより表示する。
【００５２】
操作部材２０の操作により、気圧および天候の表示が選択される場合には、図８に示す追加表示部７ｒ，７ｓ，７ｔが、それぞれ図４に示すダイヤルリング６の開口部６ｅ，６ｆ，６ｇにおいて露出され、追加表示部７ｎが、開口部６ｉに露出される。気圧の表示は、秒針５による追加表示部７ｓへの指示を行ない、その表示を一定時間行なった後は、秒針５を回動させて天候に対する追加表示部７ｎのマークの指示を行なう。操作部材２０の操作態様に、押圧操作以外に回動操作も加えることにより、追加表示部７ｒ，７ｓ，７ｔに対する秒針５の指示か、あるいは追加表示部７ｓに対する秒針５の指示のいずれか一方が選択されるようにしてもよい。
【００５３】
このように、対をなす開口部に表示すべき項目が異なる２つの追加表示部が表示される構成とすることによって、より多種の項目の表示が可能となる。
【００５４】
本発明において、表示範囲はダイヤルリング６の円周方向に対して垂直をなす中心軸Ｚに対称となるように１対のみ設けるのではなく、複数対設けてもよい。また、図９に示すように、ダイヤルリング６上に１つの開口部６ｌを周方向の数分の１以下の角度範囲（図示例は円の３分の１未満の角度範囲である場合を示す。）で設けてもよい。図１０の例は、図９の開口部の構成に対応して、内転リング７を周方向に３分の１ずつの表示範囲Ｘ，Ｙ，Ｚに分割した例を示す。
【００５５】
また、図９、図１０の例は、ダイヤルリング６を端面部６ａと上面部６ｃとを有し、内転リング７はこれに対応して、端面部７ｃと上面部７ｅとを有する構成としている。
【００５６】
図９に示すように、ダイヤルリング６の開口部６ｌ以外の領域は時刻を示す数字６ｋの表示部とし、図１０に示すように、内転リング７の３つの表示範囲のうちの１つの表示範囲Ｘは、ダイヤルリング６に表示されていない「時」の数字（５，６，７）を表示する追加表示部７ｏとしている。
【００５７】
他の１つの表示範囲Ｙは、気圧の表示部とし、端面部７ｃを、気圧の項目名（ｈＰａ）の追加表示部７ｒとし、上面部７ｅは、目盛の追加表示部７ｓ、気圧の数値を記した追加表示部７ｔとしている。また、他の１つの表示範囲Ｚは、高度の表示部とし、端面部７ｃを、高度の単位の追加表示部７ｆとし、上面部７ｅを目盛の追加表示部７ｇと、高度の数値を記した追加表示部７ｈとしている。
【００５８】
図９、図１０の実施形態においては、図１に示した操作部材２０としての操作ボタンを押すごとに、内転リング７が回動して、開口部６ｌに露出される表示範囲がＸ，Ｙ，Ｚのように順次切り換わるように構成する。表示範囲がＹ，Ｚに切り替わった際には、前述の実施形態と同様に、指針として秒針５が目盛を指示する。
【００５９】
なお、図９、図１０の例において、ダイヤルリング６の上面部６ｃや内転リング７の上面部７ｅは傾斜した構造としてもよい。また、ダイヤルリング６や内転リング７は、端面部６ａ，７ｃがなく、斜面部６ｂ，７ｄのみを有する２面構造にしてもよい。
【００６０】
本発明は、追加表示部に表示すべきものが、計測を要しないものである場合にも適用できる。また、本発明を実施する場合、本発明の要旨を逸脱しない範囲において、構成部材やその組み合わせについて、種々の変更、付加が可能である。
【符号の説明】
【００６１】
１…外装ケース、２…文字板、３…時針、４…分針、５…秒針、６…ダイヤルリング、６ａ…端面部、６ｂ…斜面部、６ｃ…上面部、６ｅ〜６ｊ…開口部、７…内転リング、７ａ…溝、７ｃ…端面部、７ｄ…斜面部、７ｅ…上面部、７ｆ〜７ｔ…追加表示部、９…カバーガラス、１０…地板、１０ａ…レール、１０ｂ…輪列受、１１…日車押え、１２…秒針駆動用モーター、１００…電子時計。
【図１】
2018146438.tif 000003
【図２】
2018146438.tif 000004
【図３】
2018146438.tif 000005
【図４】
2018146438.tif 000006
【図５】
2018146438.tif 000007
【図６】
2018146438.tif 000008
【図７】
2018146438.tif 000009
【図８】
2018146438.tif 000010
【図９】
2018146438.tif 000011
【図１０】
2018146438.tif 000012